(57)【特許請求の範囲】
【請求項１】
白色光を出射する光源と、該光源からの出射光を画像を表す変調光に変換する空間光変調手段と、複数の有彩色光をそれぞれ透過させるフィルタセグメントが配列された回転領域を有し、前記光源と空間光変調手段との間に前記回転領域が介在して回転することにより前記光源からの出射光を前記複数の有彩色に分離する回転カラーフィルタとを備えたプロジェクタにおいて、
前記光源からの出射光の光量を変更する機能を有する光源駆動手段と、
前記光源からの出射光が前記回転カラーフィルタの前記複数の有彩色の光をそれぞれ透過させるフィルタセグメントの内の少なくとも２色の光を透過させるフィルタセグメントを透過するそれぞれの期間の内、隣り合うフィルタセグメントとの境界を挟んで設定される所定範囲を、所定のスポットサイズを有する前記出射光が通過する期間を除いた有効な期間中の一部期間又は全期間に、前記光源からの出射光の光量が増加するように、前記光源駆動手段を制御する制御手段と
を備え、
該制御手段は、前記光源駆動手段にて光量を増加させる時間を、前記有効な期間以内の範囲で変更する手段
を備えたことを特徴とするプロジェクタ。
【請求項２】
白色光を出射する光源と、該光源からの出射光を画像を表す変調光に変換する空間光変調手段と、白色光及び複数の有彩色光をそれぞれ透過させるフィルタセグメントが配列された回転領域を有し、前記光源と空間光変調手段との間に前記回転領域が介在して回転することにより前記光源からの出射光を白色及び複数の有彩色に分離する回転カラーフィルタとを備えたプロジェクタにおいて、
前記光源からの出射光の光量を変更する機能を有する光源駆動手段と、
前記光源からの出射光が前記回転カラーフィルタの前記複数の有彩色の光をそれぞれ透過させるフィルタセグメントの内の少なくとも１色の光を透過させるフィルタセグメントを透過する期間の内、隣り合うフィルタセグメントとの境界を挟んで設定される所定範囲を、所定のスポットサイズを有する前記出射光が通過する期間を除いた有効な期間中の一部期間又は全期間に、前記光源からの出射光の光量が増加するように、前記光源駆動手段を制御する制御手段と
を備え、
該制御手段は、前記光源駆動手段にて光量を増加させる時間を、前記有効な期間以内の範囲で変更する手段
を備えたことを特徴とするプロジェクタ。
【請求項３】
前記制御手段は、前記光源からの出射光の光量の増加量を変更することを可能に構成してあることを特徴とする請求項１又は２に記載のプロジェクタ。
【請求項４】
前記有彩色は赤，緑，青であることを特徴とする請求項１から３の内のいずれか一つに記載のプロジェクタ。
【請求項５】
前記有彩色はシアン，マゼンタ，イエローであることを特徴とする請求項１から３の内のいずれか一つに記載のプロジェクタ。
【請求項６】
前記有彩色は赤，緑，青，シアン，マゼンタ，イエローであることを特徴とする請求項１から３の内のいずれか一つに記載のプロジェクタ。
【請求項７】
前記有彩色は赤，緑，青と、シアン及び／又はマゼンタ及び／又はイエローであることを特徴とする請求項１から３の内のいずれか一つに記載のプロジェクタ。
【請求項８】
白色光を出射する光源と、該光源からの出射光を画像を表す変調光に変換する空間光変調手段と、白色光及び複数の有彩色光をそれぞれ透過させるフィルタセグメントが配列された回転領域を有し、前記光源と空間光変調手段との間に前記回転領域が介在して回転することにより前記光源からの出射光を白色及び赤，緑，青の３色に分離する回転カラーフィルタとを備えたプロジェクタにおいて、
前記光源からの出射光の光量を変更する機能を有する光源駆動手段と、
各色の光を透過させるフィルタセグメントを前記光源からの出射光が透過する期間の内、隣り合うフィルタセグメントとの境界を挟んで設定される所定範囲を、所定のスポットサイズを有する前記出射光が通過する期間を除いた有効な期間中の一部期間又は全期間における前記光源からの出射光の光量を増加させるように、前記光源駆動手段を制御する制御手段と
を備え、
該制御手段は、白色光を透過させる期間における前記光源からの出射光の光量に比して、赤色及び緑色光を透過させる期間における前記光源からの出射光の光量の増加量が共に第１の割合である第１のモードと、該第１の割合よりも大なる第２の割合である第２のモードとを選択的に設定する手段
を備えたことを特徴とするプロジェクタ。
【請求項９】
前記第１の割合が２０％以下であり、前記第２の割合が４０乃至５０％であることを特徴とする請求項８に記載のプロジェクタ。
【請求項１０】
前記制御手段は、白色光及び他の各色の光を透過させる期間における前記光源からの出射光の光量を、前記光源からの出射光の光量の増加により、又は前記光源からの出射光の光量の増加量及び前記光源からの出射光の光量を増加させる期間の双方を変更することにより増加させるように構成してあることを特徴とする請求項８又は９に記載のプロジェクタ。
【請求項１１】
前記制御手段は、前記光源の点灯時点から安定状態になるまでの期間にアンバランスである前記光源のスペクトラム特性が補償されるように前記光源駆動手段を制御することを特徴とする請求項１から１０の内のいずれか一つに記載のプロジェクタ。
【請求項１２】
前記制御手段は、前記光源の点灯時点から安定状態になるまでの期間に漸増する前記光源からの出射光の光量が補償されるように前記光源駆動手段を制御することを特徴とする請求項１から１０の内のいずれか一つに記載のプロジェクタ。
【発明の詳細な説明】
【技術分野】
【０００１】  本発明は、光源から出射される光を複数色の透光性のフィルタセグメントを有する回転カラーフィルタにより各色に分離してＤＭＤ（Ｄｉｇｉｔａｌ  Ｍｉｃｒｏｍｉｒｒｏｒ  Ｄｅｖｉｃｅ）等のような空間光変調手段へ投射し、ＤＭＤに与えられる各色別の画像データに基づいて空間光変調することによりカラー画像を投射するプロジェクタに関する。
【背景技術】
【０００２】  プレゼンテーション又は映像の映写の分野では、コンピュータ又は種々の映像再生装置から入力された画像データに基づいた画像を外部のスクリーン等へ投射するプロジェクタが用いられている。このようなプロジェクタは、空間光変調手段、具体的には液晶パネル又はＤＭＤ（Ｄｉｇｉｔａｌ  Ｍｉｃｒｏｍｉｒｒｏｒ  Ｄｅｖｉｃｅ）等に画像データを与えることにより、内部の光源からの光を画像データに基づいて変調した画像を表す変調光を生成し、生成された変調光を外部のスクリーン等へ投射するように構成されている。【０００３】  ところで、上述のようなプロジェクタでは、１枚の板状の空間光変調手段にＲ（赤），Ｇ（緑），Ｂ（青）各色の光と場合によっては白色光とを時分割で投射することによりカラー画像を投射する方式と、一般的には３枚の空間光変調手段それぞれにＲ（赤），Ｇ（緑），Ｂ（青）各色の光を投射して各色別の変調光を発生させ、それらを合成することによりカラー画像を投射する方式とが存在する。【０００４】  前者の方式を一般的に単板方式と称する。この単板方式では従来は各有彩色（Ｒ，Ｇ，Ｂ）と場合によっては白色光を透過させる透光性のフィルタセグメントを回転させる回転カラーフィルタを利用して、光源からの出射光を各有彩色と場合によっては白色とに分離して空間光変調手段へ時分割で与えるようにしている。【０００５】  ところで、上述のような単板方式のプロジェクタでは、回転カラーフィルタに３色又は４色の光をそれぞれ透過させる透光性のフィルタセグメントを配列して空間光変調手段による変調周期（画像データの各色の成分が空間光変調手段に与えられる周期）に同期させて回転させる必要がある。従って、たとえば白色を含む４色を利用する場合には回転カラーフィルタの各色用のフィルタは単純に考えても四等分、即ち各色について９０度が割り当てられることになる。このため、空間光変調手段により変調されて投射される画像上での各色の色再現性、色温度等を補正する場合には各色に割り当てられた回転カラーフィルタの９０度の範囲内での画像表示信号の長短によるしかないのが実情である。【０００６】  しかし、データプロジェクタと称される主にコンピュータのモニタ画面をそのまま表示する用途に使用されるプロジェクタでは投射画像の明るさが優先されるので、他の色のそれに比して相対的に角度が大きい白色光を透過させるフィルタセグメントを回転カラーフィルタに備えることにより、空間光変調手段から投射される画像が明るくなるようにしている。しかしこの場合、白色以外の各色の光を透過させるフィルタセグメントが相対的に小さくなることはいうまでもなく、この結果として白色以外の各色の光量が少なくなって良好な色再現性が得られなくなる。【０００７】  従来はこのような事態に対しては前述した如く、回転カラーフィルタ上で各色に割り当てられた角度の範囲内での画像表示信号の期間を長くすることにより対処していた。しかし、各色の光をそれぞれ透過させるフィルタセグメントに割り当てられている角度に対応する期間以上に各色の画像表示信号を長くすることは原理的に不可能である。また逆に、色再現性、色温度を重視して回転カラーフィルタ上で白色に割り当てられ��角度の範囲内での画像表示信号の期間を短くすると空間光変調手段から投射される画像の明るさが当然のことながら低下することはいうまでもない。【０００８】  このような事情に鑑み、特許文献１には、回転カラーフィルタを同心円状に複数の環状の部分に区分し、各環状の部分で各色の光をそれぞれ透過させるフィルタセグメントに割り当てる角度を異ならせ、このような回転カラーフィルタの回転中心を光源からの出射光に対して交差する方向へ平行移動させる構成の発明が開示されている。このような特許文献１に開示された発明では、一つの回転カラーフィルタの回転中心を移動させることにより、各色の光をそれぞれ透過させるフィルタセグメントに割り当てられている角度が異なる、換言すれば色再現性、色温度等が異なる複数種類の回転カラーフィルタをプロジェクタの利用目的に応じて取り換えて使用するという構成が実質的に実現可能になる。またこの特許文献１に開示されている発明では、カラー画像を投射する場合はカラー用の回転カラーフィルタを、コンピュータで作成したデータである文書等の白黒の画像を投射する場合は白黒用の高輝度の回転カラーフィルタをそれぞれ使用することも容易に可能になる。【０００９】  なお、プロジェクタの光源としては特許文献２に開示されているような、印加される直流電流にパルス電流を重畳する、換言すれば印加される直流電流値を増加させることによりランプからの出射光の光量を増加させることが可能な直流駆動方式のランプが使用可能である他、特許文献３及び４に記載されているような、直流電流値の位相を特定期間毎に反転させる交流駆動方式のランプも使用可能である。
【特許文献１】特開２００３−３０７７０５号公報
【特許文献２】特開２００４−２１２８９０号公報
【特許文献３】特表２００２−５３３８８４号公報
【特許文献４】特表２００２−５３４７６６号公報
【発明の開示】
【発明が解決しようとする課題】
【００１０】  しかし、上述の特許文献１に記載の発明では、１枚の回転フィルタに同心円状の環状部分として予め設定された数だけの種類の回転カラーフィルタの内から１種類を選択することが可能であるのみであり、任意の色再現性、色温度に調整することはできず、また回転カラーフィルタの径が必然的に大形化して装置全体も大形化する虞があり、更に連続的に画像を投射している間に切り換えを行なうことは可能であるかもしれないが、その間にタイムラグが生じることは避けられないという問題を抱えている。【００１１】  以上のように、従来の単板方式で回転カラーフィルタを使用するプロジェクタでは、空間光変調手段から投射される画像の明るさと色再現性、色温度との間にはトレードオフの関係があり、ある程度の状態で妥協せざるを得なかった。【００１２】  更に上述したような特許文献２、３及び４に記載されているランプはいずれも高圧水銀ランプであり、点灯開始時点から安定状態になるまでの間は出射光のスペクトラム特性が安定状態時に比してアンバランスであり、また出射光量も漸増して安定状態になるので、その間の投射画像は特定の色の再現性が悪く、また暗いという問題があった。【００１３】  本発明は、以上のような事情に鑑みてなされたものであり、その主たる目的は、従来の単板方式で回転カラーフィルタを使用するプロジェクタに存在していた空間光変調手段から投射される画像の明るさと色再現性、色温度との間のトレードオフの関係を解消し得るプロジェクタの提供を主たる目的とする。【００１４】  また本発明の他の目的は、各色別に、更には各色別に加えて明るさを任意に調整し得るプロジェクタの提供を目的とする。【００１５】  更に本発明の他の目的は、投射される画像の種類に応じて各色別又は各色別に加えて明るさを予めそれぞれ所定値に設定しておき、それらのいずれかを選択することが可能なプロジェクタの提供を目的とする。【００１６】  また更に本発明の他の目的は、光源の点灯開始時点から安定状態になるまでの間に、特定の色の再現性が悪く、また暗いという従来の問題点を解消し得るプロジェクタの提供を目的とする。
【課題を解決するための手段】
【００１７】  本発明に係るプロジェクタは、端的には、特許文献２に開示されているような、印加される直流電流にパルス電流を重畳する、換言すれば印加される直流電流値を増加させることによりランプからの出射光の光量を増加させることが可能な直流駆動方式のランプを光源として使用し、特定の色に対応して光源であるランプの出射光量を増加させることにより、投射される画像中の特定の色の明るさを増大させ得るように構成されている。但し、特許文献３及び４に記載されているような交流駆動方式のランプも使用可能である。【００１８】
本発明に係るプロジェクタは、白色光を出射する光源と、該光源からの出射光を画像を表す変調光に変換する空間光変調手段と、複数の有彩色光をそれぞれ透過させるフィルタセグメントが配列された回転領域を有し、前記光源と空間光変調手段との間に前記回転領域が介在して回転することにより前記光源からの出射光を前記複数の有彩色に分離する回転カラーフィルタとを備えたプロジェクタにおいて、前記光源からの出射光の光量を変更する機能を有する光源駆動手段と、前記光源からの出射光が前記回転カラーフィルタの前記複数の有彩色の光をそれぞれ透過させるフィルタセグメントの内の少なくとも２色の光を透過させるフィルタセグメントを透過するそれぞれの期間の内、隣り合うフィルタセグメントとの境界を挟んで設定される所定範囲を、所定のスポットサイズを有する前記出射光が通過する期間を除いた有効な期間中の一部期間又は全期間に、前記光源からの出射光の光量が増加するように、前記光源駆動手段を制御する制御手段とを備え、該制御手段は、前記光源駆動手段にて光量を増加させる時間を、前記有効な期間以内の範囲で変更する手段を備えたことを特徴とする。
【００１９】
このような本発明に係るプロジェクタでは、光源からの出射光の光量が回転カラーフィルタの複数の有彩色の内の少なくとも２色を透過させるフィルタセグメントを透過する期間中、隣り合うフィルタセグメントとの境界を挟んで設定される前記出射光のスポットサイズ分に対応する期間を除いたそれぞれの有効な期間内で、該期間以内の一部期間に光量が増加されるように制御し、しかも一部期間を、前記フィルタセグメントを透過する有効な期間以内の範囲で任意に長くすることで、よりそれらの色の光量が増加する。
【００２０】
また本発明に係るプロジェクタは、白色光を出射する光源と、該光源からの出射光を画像を表す変調光に変換する空間光変調手段と、白色光及び複数の有彩色光をそれぞれ透過させるフィルタセグメントが配列された回転領域を有し、前記光源と空間光変調手段との間に前記回転領域が介在して回転することにより前記光源からの出射光を白色及び複数の有彩色に分離する回転カラーフィルタとを備えたプロジェクタにおいて、前記光源からの出射光の光量を変更する機能を有する光源駆動手段と、前記光源からの出射光が前記回転カラーフィルタの前記複数の有彩色の光をそれぞれ透過させるフィルタセグメントの内の少なくとも１色の光を透過させるフィルタセグメントを透過する期間の内、隣り合うフィルタセグメントとの境界を挟んで設定される所定範囲を、所定のスポットサイズを有する前記出射光が通過する期間を除いた有効な期間中の一部期間又は全期間に、前記光源からの出射光の光量が増加するように、前記光源駆動手段を制御する制御手段とを備え、該制御手段は、前記光源駆動手段にて光量を増加させる時間を、前記有効な期間以内の範囲で変更する手段を備えたことを特徴とする。
【００２１】
このような本発明に係るプロジェクタでは、光源からの出射光の光量が回転カラーフィルタの白色を含む複数色の内の少なくとも１色を透過させるフィルタセグメントを透過する期間内で光源を増加させる一部期間の長さを長くして増加させる。光源からの出射光が白色光を透過させるフィルタセグメントを透過する期間内の光量を増加させる期間を更に長くした場合には画像全体の光量が増加し、即ち画像全体の明るさが増大する。光源からの出射光が他のいずれかの色の光を透過させるフィルタセグメントを透過する有効な期間内の光量を増加させる期間を長くした場合にはその色の光量が増加、即ちその色の明るさが増大する。
【００２２】  更に本発明に係るプロジェクタは上記の両発明のいずれかにおいて、前記制御手段は、前記光源からの出射光の光量の増加量を変更することを可能に構成してあることを特徴とする。【００２３】  このような本発明に係るプロジェクタは上記の両発明のいずれかにおいて、光源からの出射光の光量の増加量を任意に変更することができる。【００２６】  また本発明に係るプロジェクタは上記の各発明のいずれか一つにおいて、前記有彩色は赤，緑，青であることを特徴とする。【００２７】  このような本発明に係るプロジェクタでは上記の各発明のいずれか一つにおいて、白色光を透過させるフィルタセグメントを有する構成では光源からの出射光が白色光を透過させるフィルタセグメントを透過する期間において光量が増加した場合には画像全体の明るさが増大し、光源からの出射光が他のいずれかの色の光を透過させるフィルタセグメントを透過する期間において光量が増加した場合には赤，緑又は青の内の少なくとも１色の光量が増加してその色の明るさが増大する。【００２８】  また本発明に係るプロジェクタは上記の各発明のいずれか一つにおいて、前記有彩色はシアン，マゼンタ，イエローであることを特徴とする。【００２９】  このような本発明に係るプロジェクタでは上記の各発明のいずれか一つにおいて、白色光を透過させるフィルタセグメントを有する構成では光源からの出射光が白色光を透過させるフィルタセグメントを透過する期間において光量が増加した場合には画像全体の明るさが増大し、光源からの出射光が他のいずれかの色の光を透過させるフィルタセグメントを透過する期間において光源からの出射光の光量が増加した場合にはシアン，マゼンタ又はイエローの内の少なくとも１色の光量が増加する。【００３０】  更に本発明に係るプロジェクタは上記の各発明のいずれか一つにおいて、前記有彩色は赤，緑，青，シアン，マゼンタ，イエローであることを特徴とする。【００３１】  このような本発明に係るプロジェクタでは上記の各発明のいずれか一つにおいて、白色光を透過させるフィルタセグメントを有する構成では光源からの出射光が白色光を透過させるフィルタセグメントを透過する期間において光量が増加した場合には画像全体の明るさが増大し、他のいずれかの色の光を透過させるフィルタセグメントを透過する期間において光量が増加した場合には赤，緑，青，シアン，マゼンタ又はイエローの内の少なくとも１色の光量が増加する。【００３２】  更に、本発明に係るプロジェクタは上記の各発明のいずれか一つにおいて、前記有彩色は赤，緑，青と、シアン及び／又はマゼンタ及び／又はイエローであることを特徴とする。【００３３】  このような本発明に係るプロジェクタでは上記の各発明のいずれか一つにおいて、白色光を透過させるフィルタセグメントを有する構成では光源からの出射光が白色光を透過させるフィルタセグメントを透過する期間において光量が増加した場合には画像全体の明るさが増大し、他のいずれかの色の光を透過させるフィルタセグメントを透過する期間において光量が増加した場合には赤，緑，青と、シアン，マゼンタ及びイエローの内の１色、又は２色、あるいは３色の光量が増加する。【００３４】
また更に本発明に係るプロジェクタは、白色光を出射する光源と、該光源からの出射光を画像を表す変調光に変換する空間光変調手段と、白色光及び複数の有彩色光をそれぞれ透過させるフィルタセグメントが配列された回転領域を有し、前記光源と空間光変調手段との間に前記回転領域が介在して回転することにより前記光源からの出射光を白色及び赤，緑，青の３色に分離する回転カラーフィルタとを備えたプロジェクタにおいて、前記光源からの出射光の光量を変更する機能を有する光源駆動手段と、各色の光を透過させるフィルタセグメントを前記光源からの出射光が透過する期間の内、隣り合うフィルタセグメントとの境界を挟んで設定される所定範囲を、所定のスポットサイズを有する前記出射光が通過する期間を除いた有効な期間中の一部期間又は全期間における前記光源からの出射光の光量を増加させるように、前記光源駆動手段を制御する制御手段とを備え、該制御手段は、白色光を透過させる期間における前記光源からの出射光の光量に比して、赤色及び緑色光を透過させる期間における前記光源からの出射光の光量の増加量が共に第１の割合である第１のモードと、該第１の割合よりも大なる第２の割合である第２のモードとを選択的に設定する手段を備えたことを特徴とする。
【００３５】
このような本発明に係るプロジェクタでは、光源からの出射光の光量が回転カラーフィルタの複数の有彩色の内のいずれかを透過させるフィルタセグメントを透過する期間中、隣り合うフィルタセグメントとの境界を挟んで設定される前記出射光のスポットサイズ分に対応する期間を除いたそれぞれの有効な期間内で、該期間以内の一部期間に光量が増加されるように制御され、更に当該一部期間以内で、光源からの出射光の光量の増加の割合が、白色光を透過させるフィルタセグメントを透過する期間における光量に比して赤色及び緑色光を透過させるフィルタセグメントを透過する期間内で夫々共に第１の割合である第１のモードと、この第１の割合よりも大なる第２の割合である第２のモードとが選択的に設定可能になる。
【００３６】  更に本発明に係るプロジェクタは上記の発明において、前記第１の割合が２０％以下であり、前記第２の割合が４０乃至５０％であることを特徴とする。【００３７】  このような本発明に係るプロジェクタでは上記の発明において、光源からの出射光の光量の増加の割合が、白色光を透過させるフィルタセグメントを透過する期間に比して赤色及び緑色光を透過させるフィルタセグメントを透過する期間が共に２０％以下の割合である第１のモードと、共に４０乃至５０％の割合である第２のモードとが選択的に設定可能になる。【００４０】
なお更に本発明に係るプロジェクタは上記の各発明のいずれか一つにおいて、前記制御手段は、白色光及び他の各色の光を透過させる期間における前記光源からの出射光の光量を、前記光源からの出射光の光量の増加により、又は前記光源からの出射光の光量の増加量及び前記光源からの出射光の光量を増加させる期間の双方を変更することにより増加させるように構成してあることを特徴とする。
【００４１】  このような本発明に係るプロジェクタでは上記の各発明のいずれか一つにおいて、光源からの出射光の光量の増加量により、又は光源からの出射光の光量の増加量及び光源からの出射光の光量を増加させる期間の双方を変更することにより、白色及び他の各色の光を透過させるフィルタセグメントを透過する光源からの出射光の光量が増加する。【００４２】  また本発明に係るプロジェクタは上記の各発明のいずれか一つにおいて、前記制御手段は、前記光源の点灯時点から安定状態になるまでの期間にアンバランスである前記光源のスペクトラム特性が補償されるように前記光源駆動手段を制御することを特徴とする。【００４３】  このような本発明に係るプロジェクタでは上記の各発明のいずれか一つにおいて、光源のスペクトラム特性がアンバランスである光源の点灯時点から安定状態になるまでの期間にも、光源のスペクトラム特性が補償される。【００４４】  更に本発明に係るプロジェクタは上記の各発明のいずれか一つにおいて、前記制御手段は、前記光源の点灯時点から安定状態になるまでの期間に漸増する前記光源からの出射光の光量が補償されるように前記光源駆動手段を制御することを特徴とする。【００４５】  このような本発明に係るプロジェクタでは上記の各発明のいずれか一つにおいて、光源の出射光量が漸増する光源の点灯時点から安定状態になるまでの期間にも、光源の明るさが補償される。
【発明の効果】
【００４６】  上述のような本発明に係るプロジェクタによれば、回転カラーフィルタによる制約には拘わらずに、従来の単板方式で回転カラーフィルタを使用するプロジェクタに存在していた空間光変調手段から投射される画像の明るさと色再現性、色温度との間のトレードオフの関係が解消されるので、投射画像の色再現性を任意に調整することができる。【００４７】  また本発明に係るプロジェクタによれば、回転カラーフィルタによる制約には拘わらずに、従来の単板方式で回転カラーフィルタを使用するプロジェクタに存在していた空間光変調手段から投射される画像の明るさと色再現性、色温度との間のトレードオフの関係が解消されるので、投射画像の色再現性のみならず、明るさに関しても任意に調整することができる。【００４８】  また本発明に係るプロジェクタによれば上記の両発明のいずれかにおいて、光源からの出射光の光量の増加量を変更することにより、投射画像の特定の色の光量が増加するので色再現性を向上させることができる。【００４９】  更に本発明に係るプロジェクタによれば前記の両発明のいずれかにおいて、光源からの出射光の光量を増加する期間を変更することにより、投射画像の特定の色の光量が増加するので色再現性を向上させることができる。【００５０】  また本発明に係るプロジェクタによれば上記の各発明のいずれか一つにおいて、画像全体の明るさを増大させること、及び赤，緑又は青の内の少なくとも１色の光量を増加させることが可能になり、色再現性を向上させることができる。【００５１】  更に本発明に係るプロジェクタによれば上記の各発明のいずれか一つにおいて、画像全体の明るさを増大させること、及びシアン，マゼンタ又はイエローの内の少なくとも１色の光量を増加させることが可能になり、色再現性を向上させることができる。【００５２】  また更に本発明に係るプロジェクタによれば上記の各発明のいずれか一つにおいて、画像全体の明るさを増大させること、及び赤，緑，青，シアン，マゼンタ又はイエローの内の少なくとも１色の光量を増加させることが可能になり、色再現性を向上させることができる。【００５３】  更にまた本発明に係るプロジェクタによれば上記の各発明のいずれか一つにおいて、画像全体の明るさを増大させること、及び赤，緑，青と、シアン，マゼンタ及びイエローの内の１色、又は２色、あるいは３色の光量を増加させることが可能になり、色再現性を向上させることができる。【００５４】  更に本発明に係るプロジェクタによれば、予め赤色及び緑色の光量を共に第１の割合に増加させた第１のモードと、この第１の割合よりも大なる第２の割合に増加させた第２のモードとのいずれかを選択的に設定することができるので、ユーザは各色についての個別の調整を行なわずとも第１のモード又は第２のモードを選択するのみで投射画像に所望の画質を得ることができる。【００５５】  また本発明に係るプロジェクタによれば前記の発明において、第１の割合が２０％以下の割合であるたとえば映画等の鑑賞に適した第１のモードと、共に４０乃至５０％の割合であるたとえばコンピュータのモニタ画面を投射する際に適した第２のモードとのいずれかを選択的に設定することができるので、ユーザ���各色についての個別の調整を行なわずとも映画等の鑑賞に適した第１のモード又はコンピュータのモニタ画面を投射する際に適した第２のモードの画質の投射画像を得ることができる。【００５６】  また更に本発明に係るプロジェクタによれば上記の発明において、画像全体の明るさ及び各色の光量を周囲環境に応じて、またはユーザの好みに応じて任意に設定することができる。【００５７】  更に本発明に係るプロジェクタによれば上記の各発明のいずれか一つにおいて、画像全体の明るさ及び各色の光量を光源からの出射光の光量の増加に応じて、又は光源からの出射光の光量の増加量及び光源からの出射光の光量を増加させる期間の双方に応じて、白色及び他の各色の光を透過させるフィルタセグメントを透過する光源からの出射光の光量を増加させることができるので、光量調整の幅が大きくなり、よりダイナミックな画質の調整が可能になる。【００５８】  また本発明に係るプロジェクタによれば上記の各発明のいずれか一つにおいて、光源が点灯された時点から安定状態になるまでの光源のスペクトラム特性がアンバランスな期間にも、色再現性を向上させることができる。【００５９】  更に本発明に係るプロジェクタによれば上記の各発明のいずれか一つにおいて、光源が点灯された時点から安定状態になるまでの光源の出射光量が少ない期間にも、明るさを向上させることができる。
【図面の簡単な説明】
【００６０】
【図１】本発明に係るプロジェクタの実施例１の構成例を示す模式的ブロック図である。
【図２】本発明に係るプロジェクタの実施例１のランプ駆動回路の構成例を示す模式図である。
【図３】本発明に係るプロジェクタの実施例１の回転カラーフィルタの一構成例を示す模式的平面図である。
【図４】本発明に係るプロジェクタの実施例１の回転カラーフィルタの機能を示す模式図である。
【図５】本発明に係るプロジェクタの実施例１の全体の処理手順を示すフローチャートである。
【図６】図５のフローチャート中の「モード設定」のためのサブルーチンのフローチャートである。
【図７】図５のフローチャート中の「モード設定」のための表示画面の模式図である。
【図８】図５のフローチャート中の「個別設定」のためのサブルーチンのフローチャートである。
【図９】図５のフローチャート中の「個別設定」のための表示画面の模式図である。
【図１０】本発明に係るプロジェクタの実施例２の構成例を示す模式的ブロック図である。
【図１１】本発明に係るプロジェクタの実施例２のランプ駆動回路の構成例を示す模式図である。
【符号の説明】
【００６１】  １（１０１）  ランプ
２  回転カラーフィルタ
３  ＤＭＤ
１０（１００）  制御回路
１１（１１１）  ランプ駆動回路
１２  フィルタ駆動回路
１３  ＤＭＤ駆動回路
１４  操作部
２１（１２１）  電源回路
２２（１２２）  ランプ制御回路
【発明を実施するための最良の形態】
【００６２】  以下、本発明をその実施例を示す図面を参照して具体的に説明する。
【実施例１】
【００６３】  図１は本発明に係るプロジェクタの実施例１の構成例を示す模式的ブロック図である。この実施例１のプロジェクタは、光源であるランプ１と、図示例では４色、具体的には白（Ｗ），青（Ｂ），赤（Ｒ），緑（Ｇ）の各色の光をそれぞれ透過させる透光性のフィルタセグメントを回転領域に配列した回転カラーフィルタ２と、この回転カラーフィルタ２のいずれかのフィルタセグメントを透過したランプ１からの出射光を画像データに基づいて空間光変調する空間光変調手段としてのＤＭＤ（Ｄｉｇｉｔａｌ  Ｍｉｃｒｏｍｉｒｒｏｒ  Ｄｅｖｉｃｅ）３と、このＤＭＤ３が変調した変調光を外部のスクリーン等へ投射するための複数のレンズで構成される投射光学系４と、後述する制御系等で構成されている。【００６４】  なお、本発明に係るプロジェクタは外部のスクリーン等へ画像を投射するいわゆるフロント投射方式にも、スクリーンの背面から投射するリア投射方式にも適用可能である。また、本実施例１では空間光変調手段としてＤＭＤを備えているが、他の空間光変調手段、たとえば液晶パネル等を使用することも勿論可能である。更に、ランプ１と回転カラーフィルタ２との間、及び回転カラーフィルタ２とＤＭＤ３との間にも適宜の光学系が介装されているが、本発明とは直接の関係はないので省略する。【００６５】  制御系は、マイクロコンピュータ，マイクロプロセッサ等を利用した制御回路１０と、この制御回路１０からの設定を受けてランプ１の駆動を制御するランプ駆動回路１１と、同じく回転カラーフィルタ２の回転を制御するフィルタ駆動回路１２と、同じくＤＭＤ３を制御するＤＭＤ駆動回路１３と、ユーザによる操作指示を制御回路１０が受け付ける操作部１４と等で構成されている。なお、制御回路１０によるユーザへの種々の案内、指示等は操作部１４に併設されているＬＣＤ等の表示装置に表示してもよいし、制御回路１０の制御によるいわゆるオンスクリーン表示（ＯＳＤ）であってもよいし、両者を併用することも勿論可能である。【００６６】  ランプ１は本実施例１ではたとえば特許文献２に開示されているような、印加される直流電流にパルス電流を重畳する、換言すれば印加される直流電流値を増加させることによりランプからの出射光の光量を増加させることが可能な直流駆動方式のランプである。【００６７】  このランプ１は商用交流電源２０に接続されたランプ駆動回路１１から、制御回路１０の設定に従って直流電流が印加されることにより、光を出射する。なお、このランプ１からの出射光の光量は制御回路１０の設定によりランプ駆動回路１１からランプ１に印加される電流値にパルス電流を重畳することにより可能である。【００６８】  図２は本発明に係るプロジェクタの実施例１のランプ駆動回路１１の構成例を示す模式図である。電源回路２１は商用交流電源を入力して所定電流値の直流電流に変換してランプ１に印加する。電源回路２１からランプ１への印加電流値は信号ＳＶとしてランプ制御回路２２へフィードバックされて通常は一定値に維持される。一方、ランプ制御回路２２へは制御回路１０からの制御信号Ｓ１により、電源回路２１からランプ１に印加される直流電流にパルス電流を重畳するための情報が与えられる。��の情報は、パルス電流の大きさ（電流値）及び持続期間の双方を設定すると共に、重畳されるべきタイミングをも設定する。【００６９】  更に、ランプ制御回路２２にはフィルタ駆動回路１２から回転カラーフィルタ２の回転状態、具体的にはどの色の光を透過させるフィルタセグメントがどの位置にあるかを示す情報が信号Ｓ２として与えられる。またこの信号Ｓ２は図１に示す信号Ｓ３として制御回路１０にも与えられている。なお、制御回路１０に与えられた信号Ｓ３は、制御回路１０からランプ駆動回路１１へ与えられる制御信号Ｓ１のタイミング制御に利用される。なお、ランプ制御回路２２には自身からの出射光が回転カラーフィルタ２の各フィルタセグメントを透過するタイミングが判明しているので、このタイミングと制御回路１０から与えられる制御信号Ｓ１で設定されているタイミングとの関係から実際にパルス電流を印加するタイミングを決定する。【００７０】  以上のことから、ランプ制御回路２２は、制御回路１０からの制御信号Ｓ１により設定される情報と、フィルタ駆動回路１２から信号Ｓ２として与えられるタイミングとに従って、制御信号ＳＣを電源回路２１へ与える。この制御信号ＳＣが与えられている間、制御信号ＳＣにより指定される電流値のパルスが制御信号ＳＣにより指定される期間、電源回路２１からランプ１に印加される電流に重畳されるので、その分だけランプ１に与えられる電流値が増加し、結果的にランプ１の出射光量が増加する。【００７１】  回転カラーフィルタ２は、本発明に係るプロジェクタの実施例１の稼働時には制御回路１０の制御に従って、図示しないアクチュエータを含むフィルタ駆動回路１２により矢符方向に一定速度で回転する。この回転カラーフィルタ２は詳細は後述するが、本実施例１では白色（Ｗ）を含むＲ（赤），Ｇ（緑），Ｂ（青）の４色の光をそれぞれ透過させるフィルタセグメントがほぼ９０度ずつに割り当てられており、ランプ１からの出射光を上記の４色に時系列的に分離してＤＭＤ３へ与える。なお、フィルタ駆動回路１２は回転カラーフィルタ２の回転位置を検知する手段を備えている。従って、いずれの色の光を透過させるフィルタセグメントが各時点でランプ１からの出射光をＤＭＤ３へ透過させているかをランプ制御回路２２が知ることができる。【００７２】  ＤＭＤ３は、制御回路１０の制御に従って、図示しない画像データ供給手段、具体的にはたとえばコンピュータ、ＤＶＤプレーヤ、ＴＶチューナ等から与えられるデジタル画像データに応じて、回転カラーフィルタ２を透過してきた光を変調して投射光学系４方向へ投射する。なお、投射光学系４は図示例ではフロント投射方式用の光学系を示しているが、リア投射方式用のそれであってもよい。また、この投射光学系４も制御回路１０の制御に従って、ズーム調整，キーストン調整等が可能であることはいうまでもない。【００７３】  次に、回転カラーフィルタ２の詳細な構成及びその機能について説明する。図３は本発明に係るプロジェクタの実施例１の回転カラーフィルタ２の一構成例を示す模式的平面図、図４はその機能を示す模式図である。なお、図３には白（Ｗ）、赤（Ｒ）、緑（Ｇ）、青（Ｂ）の４色の光をそれぞれ透過させるフィルタセ���メントを有する回転カラーフィルタ２が例示されているが、これはあくまでも明るさ（白）を重視した場合の一例である。従って、それぞれの色の光を透過させるフィルタセグメントの角度は図示例とは異なる角度に設定されていてもよいし、赤（Ｒ）、緑（Ｇ）、青（Ｂ）用の３色のみであってもよいし、これらに代えてシアン，マゼンタ，イエロー用の３色であってもよいし、更には赤（Ｒ）、緑（Ｇ）、青（Ｂ）、シアン、マゼンタ、イエロー用の６色であってもよいし、なお更にはいずれの場合にも白用をも含んでいてもよい。【００７４】  回転カラーフィルタ２は本実施例１では一例として図３に具体的に示すように、各色用のフィルタセグメントは白（Ｗ）用に９０〜１００度の範囲内で、緑（Ｇ）用に８６〜９６度の範囲内で、赤（Ｒ）用に８２〜９２度の範囲内で、青（Ｂ）用に８２〜９２度の範囲内で、いうまでもないが全体で３６０度になるようにそれぞれ割り当てられている。そして、各フィルタセグメント間に８〜１８度（隣接するフィルタセグメントの境界線を挟んで両側に等角度で４〜９度ずつ）の範囲内で同一角度のスポットサイズが設定されており、これらのスポットサイズを除く部分がランプ１からの出射光を透過するために利用可能な範囲（有効角度）である。従って、各色用のフィルタセグメントの有効角度は、白（Ｗ）用が７７〜８７度の範囲内に、緑（Ｇ）用が７３〜８３度の範囲内に、赤（Ｒ）用が６９〜７９度の範囲内に、青（Ｂ）用が６９〜７９度の範囲内になる。勿論この場合も、各色用別の有効角度の総計と、いずれも同一角度である４ヶ所のスポットサイズの総計とを合わせた角度が３６０度になることはいうまでもない。【００７５】  このようなフィルタセグメントの構成において、単純な白色の画面を投射する場合は図４（ａ）に示すように、ランプ１からの出射光が白色光を透過させるフィルタセグメントを透過する期間である回転カラーフィルタ２の中央部分のたとえば４７〜５７度の範囲に対応する期間にランプ１の光量が増加するように、電源回路２１からランプ１に印加されている電流に所定の電流値のパルスが重畳される。【００７６】  また同時にこの期間においてＤＭＤ３が白色の画像を表示する状態となるように白色の画像データの信号が制御回路１０からＤＭＤ駆動回路１３へ与えられる。これにより、回転カラーフィルタ２の１回転、即ち３６０度の内の４７〜５７度の範囲に相当する期間（約１３〜１６％）にのみ白色光の光量が増加されてＤＭＤ３から投射光学系４を介してスクリーンへ投射され、他の色成分の光量は増加されない。これにより、スクリーンへ投射される画像中の白色の光量が増加するので、全体として画像の明るさが増大する。【００７７】  そしてこのような明るさを重視した状態において赤色の光量が不足している場合には、図４（ｂ）に示すように、ランプ１からの出射光が赤色光を透過させるフィルタセグメントを透過する期間である回転カラーフィルタ２の内のたとえば４７〜５７度の範囲に対応する期間にも、上述同様にしてランプ１への印加電流にパルス電流を重畳することによりランプ１の光量を増加させる。これにより、スクリーンへ投射される画像中の赤色の光量が増加するので、全体として画��の赤色の成分の明るさが増大する。【００７８】  しかしそれでもなお、スクリーンへ投射される画像中の赤色の成分の明るさが不足している場合には、電源回路２１からランプ１に印加されている電流に印加するパルスの電流値をより高くする。またこれとは別に図４（ｃ）に示すようし、ランプ１からの出射光が赤色光を透過させるフィルタセグメントを透過する期間である回転カラーフィルタ２の有効角度全体に対応する期間全体で上述同様にしてランプ１の光量を増加させることも可能である。これにより、スクリーンへ投射される画像中の赤色の光量が更に増加するので、全体として画像の赤色の成分の明るさが更に増大する。なおこの場合には、画像表示信号もランプ１に印加される電流に重畳されるパルス電流の期間に対応させて長くする。【００７９】  即ち、赤色光を透過させるフィルタセグメントの有効角度内でどの程度の期間ランプ１にパルスを印加するか、及びその期間内でどの程度ランプ１の光量を増加させるかは、制御回路１０によるランプ駆動回路１１のランプ制御回路２２への設定により任意に可能であり、いずれか一方、又は両者を併用することにより特定の色成分の明るさを増大させることができる。【００８０】  また上述の図４（ｂ）及び図４（ｃ）に示した例では、有彩色の中では赤色のみの光量を増加させる例について説明したが、他の青色、緑色に関してもそれぞれ同様にランプ１に電源回路２１から印加されている電流にパルスを重畳させてランプ１の光量を増加させることにより、そしてその期間及び印加パルスの電流値を変化させることにより、ＤＭＤ３からのそれぞれの色の投射光の光量を増加させること、即ちそれぞれの色成分の明るさを増大させることが可能である。また、個別の色のみならず３色の内のいずれか２色、または３色の全てに関してＤＭＤ３からの投射光の光量を任意に増加させることが可能であることはいうまでもない。【００８１】  本発明は基本的には上述のように、画像データ中の任意の色（場合によっては白色も）の成分をその色の光がＤＭＤ３から投射される期間にランプ１の光量を増加させると共に、その増加の程度及び持続期間を変化させることによりスクリーン等へ投射される画像中のその色の光量を増加させる、換言すれば明るさを増大させる構成を採っているが、画質調整のために種々の応用が可能である。【００８２】  本発明のプロジェクタをいわゆるデータプロジェクタとして利用する場合には、可能な限り明るい投射画像が要求されるので白色光の明るさを大きくすることが好ましい。その際に、特定の色成分の光量が不足して色再現性が悪い場合には、光量が不足している色に関して上述のような処理、具体的には光量が不足している色の光を透過させるフィルタセグメントがランプ１からの出射光を透過させる期間内にランプ１の光量を増加させればよい。【００８３】  またたとえば、投射される画像の種類、たとえば映画であるのか、コンピュータのモニタ画面であるのか（即ち、データプロジェクタとして利用されるのか）等に応じて各色の光量の増加量を特定の値に予め設定した種々のモードを用意しておき、操作部１４をユーザが操作することによりいずれかのモードを選択設定するようにもできる。たとえ��、ユーザが操作部１４を操作して映画モードを選択設定した場合、制御回路１０は赤色と緑色の光量がたとえばそれぞれ２０％増加するように、ランプ駆動回路１１のランプ制御回路２２に設定する。またユーザが操作部１４を操作してデータモード（コンピュータのモニタ画面を表示するモード）を選択設定した場合、制御回路１０は赤色と緑色の光量がたとえばそれぞれ４０乃至５０％増加するように、ランプ駆動回路１１のランプ制御回路２２に設定する。【００８４】  また、画像が投射される環境又はユーザの好み等に応じて各色の明るさ及び画像全体の明るさを個別に且つ任意に調整することも可能である。この場合には、ユーザが操作部１４を操作することにより、各色の明るさを調整するためのスライダ方式のツールバーが操作部１４に併設されている表示装置に、または制御回路１０の制御によりオンスクリーン表示される。従って、ユーザはこれらの表示上で各色についての光量の増減、及び画像全体の明るさ（具体的には、白色の光量）の調整値を設定することができる。【００８５】  以下、本発明に係るプロジェクタの実施例１による画質調整の方法について、その手順を示すフローチャートを参照して説明する。なお、図５は本発明に係るプロジェクタの実施例１の全体の処理手順を示すフローチャートを、図６は図５のフローチャート中の「モード設定」のためのサブルーチンのフローチャートを、図７は「モード設定」のための表示画面の模式図を、図８は同じく「個別設定」のためのサブルーチンのフローチャートを、図９は「個別設定」のための表示画面の模式図をそれぞれ示している。なお、いうまでもないが、これらのフローチャートに示されている処理は制御回路１０により、制御回路１０自身に予めインストールされている制御プログラムに従って実行される。【００８６】  まず、制御回路１０は操作部１４が操作されることによる操作の受付があったか否かを監視している（ステップＳ１１でＮＯ）。操作の受付があった場合（ステップＳ１１でＹＥＳ）、制御回路１０はそれが「画質調整」の指示であるのか（ステップＳ１２でＹＥＳ）、「画像投射」の指示であるのか（ステップＳ１２でＮＯ，Ｓ１３でＹＥＳ）、あるいは他の指示であるのか（ステップＳ１３でＮＯ）を判断する。「画質調整」でも「画像投射」でもない他の指示を受け付けた場合には制御回路１０は受け付けた指示に対応した他の処理を実行し（ステップＳ１４）、ステップＳ１１へ処理を戻す。【００８７】  画質調整の指示を受け付けた場合（ステップＳ１２でＹＥＳ）、制御回路１０は画質調整がモード指定によるか否かを判断する（ステップＳ２１）。具体的には、ユーザが「画質調整」の指示を行なった場合、制御回路１０は操作部１４に併設されている表示装置上に「モード設定」を行なうか「個別設定」を行なうかをユーザに選択させる表示を行なう。これに応じてユーザが「モード設定」を選択すると（ステップＳ２１でＹＥＳ）、制御回路１０はモード設定の処理を行なう（ステップＳ２２）。但し、このモード設定の処理は後述する図６に示すサブルーチンとして用意されている。【００８８】  一方、ユーザが「個別設定」を選択すると（ステップＳ２１でＮＯ）、制御回路１０は個���設定の処理を行なう（ステップＳ２３）。但し、この個別設定の処理は後述する図８に示すサブルーチンとして用意されている。【００８９】  図６は図５のステップＳ２２の「モード設定」の処理のサブルーチンのフローチャートである。まず制御回路１０は操作部１４に併設されている表示装置上にモード設定画面を表示する（ステップＳ２２１）。このモード設定画面は図７にその模式図を示すような画面であり、一例として「映画モード」と「データモード」とのいずれかを選択して指定することができるようになっている他、リセットすることも可能である。勿論、これらの二つのモード以外にも種々のモードを用意しておくことが可能であることはいうまでもない。【００９０】  このモード設定画面上でユーザが「映画モード」を選択した場合（ステップＳ２２２でＹＥＳ）、制御回路１０は赤色及び緑色光を透過させるフィルタセグメントのタイミングでランプ１の光量を共に２０％増加するようにランプ駆動回路１１のランプ制御回路２２に設定する（ステップＳ２２５）。また、モード設定画面上でユーザが「データモード」を選択した場合（ステップＳ２２２でＮＯ、Ｓ２２３でＹＥＳ）、制御回路１０は赤色及び緑色光を透過させるフィルタセグメントのタイミングでランプ１の光量を共に５０％増加するようにランプ駆動回路１１のランプ制御回路２２に設定する（ステップＳ２２６）。【００９１】  なお、モード設定画面上でユーザが「終了」を選択した場合（ステップＳ２２２でＮＯ、Ｓ２２３でＮＯ、Ｓ２２４でＹＥＳ）、制御回路１０は図５に示すメインルーチンへ処理を戻す。またステップＳ２２２、Ｓ２２３、Ｓ２２４のいずれにおいても”ＮＯ”であった場合には制御回路１０は処理をステップＳ２２１へ戻してユーザからの指示を待機する。また、フローチャートには示さないが、ユーザが「リセット」を選択した場合には、ランプ１の出射光量を通常の値に維持する初期状態に各設定が戻される。【００９２】  図８は図５のステップＳ２３の「個別設定」の処理のサブルーチンのフローチャートである。まず制御回路１０は操作部１４に併設されている表示装置上に個別設定画面を表示する（ステップＳ２３１）。この個別設定画面は図９にその模式図を示すような画面であり、一例として「赤」、「緑」、「青」及び「明るさ」の内のユーザが希望するいずれをも選択して指定することができるようになっている。なお図９には全ての調整値が「±０」であるデフォルトの状態が示されている。【００９３】  この個別設定画面上でユーザが「赤」を選択していずれかの値に設定した場合（ステップＳ２３２でＹＥＳ）、制御回路１０は赤色の設定値を一時記憶する（ステップＳ２３７）。また、ユーザが「緑」を選択していずれかの値に設定した場合（ステップＳ２３２でＮＯ、Ｓ２３３でＹＥＳ）、制御回路１０は緑色の設定値を一時記憶する（ステップＳ２３８）。また、ユーザが「青」を選択していずれかの値に設定した場合（ステップＳ２３２、Ｓ２３３でＮＯ、Ｓ２３４でＹＥＳ）、制御回路１０は青色の設定値を一時記憶する（ステップＳ２３９）。更にユーザが「明るさ」を選択していずれかの値に設定した場合（ステップＳ２３２、Ｓ２３３、Ｓ２３４でＮＯ、���２３５でＹＥＳ）、制御回路１０は白色の設定値を一時記憶する（ステップＳ２４０）。【００９４】  以上のようにして一時記憶された各色の設定値は制御回路１０からランプ駆動回路１１のランプ制御回路２２に設定され（ステップＳ２４１）、その後ステップＳ２３へ処理が戻される。【００９５】  なお、モード設定画面上でユーザが「終了」を選択した場合（ステップＳ２３２、Ｓ２３３、Ｓ２３４、Ｓ２３５でＮＯ、Ｓ２３６でＹＥＳ）、制御回路１０は図５に示すメインルーチンへ処理を戻す。またステップＳ２３２乃至Ｓ２３６のいずれにおいても”ＮＯ”であった場合には制御回路１０は処理をステップＳ２３１へ戻してユーザからの指示を待機する。また、フローチャートには示さないが、ユーザが「リセット」を選択した場合には、ランプ１の各色の明るさが通常の値に維持される初期状態に各設定が戻される。【００９６】  以上のようにしてユーザによる画質調整の設定が行なわれた後、ユーザが画像投射の指示を操作部１４に与えると（ステップＳ１３でＹＥＳ）、制御回路１０は画像投射を開始する（ステップＳ３１）。従って、これ以降にプロジェクタが投射する画像はその色要素の内の少なくとも一つが投射される際にランプ１の光量が増加することによりその色の光量が増加した画像になる。【００９７】  なお画像投射開始中（ステップＳ３１、Ｓ３２でＮＯ、Ｓ３３でＮＯ）においても、ユーザは操作部１４の操作により任意に時点で画質の調整を行なうことが可能である（ステップＳ３２でＹＥＳ）。そして、ユーザが操作部１４の操作により終了を指示した場合（ステップＳ３２でＮＯ、Ｓ３３でＹＥＳ）には、画像投射の途中であるか否かには拘わらずにこの処理は終了する。
【実施例２】
【００９８】  次に、ランプとして特許文献３及び４に記載されているような、直流電流値の位相を特定期間毎に反転させる交流駆動方式のランプを使用した場合について実施例２として説明する。図１０は本発明に係るプロジェクタの実施例２の構成例を示す模式的ブロック図である。【００９９】  本実施例２のプロジェクタは、光源であるランプ１０１と、図示例では４色、具体的には白（Ｗ），青（Ｂ），赤（Ｒ），緑（Ｇ）の各色の光をそれぞれ透過させる透光性のフィルタセグメントを回転領域に配列した回転カラーフィルタ２と、この回転カラーフィルタ２のいずれかのフィルタセグメントを透過したランプ１０１からの出射光を画像データに基づいて空間光変調する空間光変調手段としてのＤＭＤ（Ｄｉｇｉｔａｌ  Ｍｉｃｒｏｍｉｒｒｏｒ  Ｄｅｖｉｃｅ）３と、このＤＭＤ３が変調した変調光を外部のスクリーン等へ投射するための複数のレンズで構成される投射光学系４と、後述する制御系等で構成されていることは前述した実施例１と同様である。但し、図１０にその構成例を示した本実施例２では、ランプ１０１として特許文献３及び４に記載されているような、直流電流値の位相を特定期間毎に反転させる交流駆動方式のランプを使用している。【０１００】  なお、本実施例２のプロジェクタも前述した実施例１のプロジェクタと同様に、外部のスクリーン等へ画像を投射するいわゆるフロント投射方式にも、スクリーンの背面から投射するリア投射方式にも適用可能である。また、本実施例２では空間光変調手段としてＤＭＤを備えているが、他の空間光変調手段、たとえば液晶パネル等を使用することも勿論可能である。更に、ランプ１０１と回転カラーフィルタ２との間、及び回転カラーフィルタ２とＤＭＤ３との間にも適宜の光学系が介装されているが、本発明とは直接の関係はないので省略する。【０１０１】  制御系は、マイクロコンピュータ，マイクロプロセッサ等を利用した制御回路１００と、この制御回路１００からの設定を受けてランプ１０１の駆動を制御するランプ駆動回路１１１と、同じく回転カラーフィルタ２の回転を制御するフィルタ駆動回路１２と、同じくＤＭＤ３を制御するＤＭＤ駆動回路１３と、ユーザによる操作指示を制御回路１００が受け付ける操作部１４と等で構成されている。なお、制御回路１００によるユーザへの種々の案内、指示等は操作部１４に併設されているＬＣＤ等の表示装置に表示してもよいし、制御回路１００の制御によるいわゆるオンスクリーン表示（ＯＳＤ）であってもよいし、両者を併用することも勿論可能である。【０１０２】  ランプ１０１は前述した如く、たとえば特許文献３及び４に開示されているような、直流電流値の位相を特定期間毎に反転させる交流駆動方式のランプを使用している。このような交流駆動方式のランプ１０１は直流電流値を増加させることによって出射光の光量を増加させることが可能である。【０１０３】  このランプ１０１は商用交流電源２０に接続されたランプ駆動回路１１１から、制御回路１００の設定に従って特定期間毎に直流電流値の位相が反転される交流電流が印加されることにより光を出射する。なお、このランプ１０１からの出射光の光量の制御は、制御回路１００から制御信号Ｓ１��ランプ駆動回路１１１に与えることにより、ランプ１０１に印加される電流値の振幅及びタイミングをランプ駆動回路１１１が制御することによって可能である。【０１０４】  図１１は本発明に係るプロジェクタの実施例２のランプ駆動回路１１１の構成例を示す模式図である。電源回路１２１は商用交流電源を入力して所定電流値の直流電流に変換し、特定期間毎に位相を反転させつつランプ１０１に電流を印加する。電源回路１２１からランプ１０１への印加電流値は信号ＳＶとしてランプ制御回路１２２へフィードバックされて通常は位相反転するまでの間は一定値に維持される。一方、ランプ制御回路１２２へは制御回路１００からの制御信号Ｓ１により、電源回路１２１からランプ１０１に印加される直流電流の値と位相とを制御するための情報が与えられる。この情報は、変動させる電流値と位相反転のタイミングとの双方を設定するための情報である。【０１０５】  更に、ランプ制御回路１２２にはフィルタ駆動回路１２から回転カラーフィルタ２の回転状態、具体的にはどの色の光を透過させるフィルタセグメントがどの位置にあるかを示す情報が信号Ｓ２として与えられる。またこの信号Ｓ２は図１０に示す信号Ｓ３として制御回路１００にも与えられている。なお、制御回路１００に与えられた信号Ｓ３は、制御回路１００からランプ駆動回路１１１へ与えられる制御信号Ｓ１のタイミング制御に利用される。なお、ランプ制御回路１２２には自身からの出射光が回転カラーフィルタ２の各フィルタセグメントを透過するタイミングが判明しているので、このタイミングと制御回路１００から与えられる制御信号Ｓ１で設定されているタイミングとの関係から、ランプ１０１に与えている電流を実際に変動させるタイミングを決定する。【０１０６】  以上のことから、ランプ制御回路１２２は、制御回路１００からの制御信号Ｓ１により設定される情報と、フィルタ駆動回路１２から信号Ｓ２として与えられるタイミングとに従って、制御信号ＳＣを電源回路１２１へ与える。この制御信号ＳＣが与えられることにより、制御信号ＳＣにより指定される電流値の変化が制御信号ＳＣにより指定される期間、電源回路１２１からランプ１０１に印加される電流に重畳されるので、その分だけランプ１０１に与えられる電流値が増加し、結果的にランプ１０１の出射光量が増加する。【０１０７】  回転カラーフィルタ２は、本発明に係るプロジェクタの実施例２の稼働時には制御回路１００の制御に従って、図示しないアクチュエータを含むフィルタ駆動回路１２により矢符方向に一定速度で回転する。この回転カラーフィルタ２は詳細は前述した実施例１と同様であり、ランプ１０１からの出射光を４色に時系列的に分離してＤＭＤ３へ与える。なお、フィルタ駆動回路１２は回転カラーフィルタ２の回転位置を検知する手段を備えていることは実施例１の場合と同様であり、従っていずれのフィルタセグメントが各時点でランプ１０１からの出射光をＤＭＤ３へ透過させているかをランプ制御回路１２２が知ることができる。【０１０８】  ＤＭＤ３は、制御回路１００の制御に従って、図示しない画像データ供給手段、具体的にはたとえばコンピュータ、ＤＶＤプレーヤ、ＴＶチューナ等から与えられる���ジタル画像データに応じて、回転カラーフィルタ２を透過してきた光を変調して投射光学系４方向へ投射する。なお、投射光学系４は図示例ではフロント投射方式用の光学系を示しているが、実施例１と同様にリア投射方式用のそれであってもよい。また、この投射光学系４も、実施例１の場合と同様に、制御回路１００の制御に従って、ズーム調整，キーストン調整等が可能であることはいうまでもない。【０１０９】  なお、上述した実施例１及び実施例２ではいずれも基本的には、ランプ１（１０１）の光量を増加させることにより、スクリーンへ投射される画像中の個々の色成分の明るさを調整するようにしている。しかし、明るさを調整する対象の色成分の画像データがＤＭＤ３に与えられている期間内においてランプ１（１０１）の光量を増加させる期間を増大させると共に、これに対応させてＤＭＤ３に与えられる画像データの信号の期間を増大することによっても、スクリーンへ投射される画像中の特定の色成分の明るさを増大させることが可能になる。換言すれば、ランプ１（１０１）からの出射光が回転カラーフィルタ２の特定の色の光を透過させるフィルタセグメントを透過するトータルの光量（光量の増加量とその持続期間との積で定まる）により、スクリーンへ投射される画像中の各色成分の明るさを調整することが可能である。【０１１０】  ところで、上述のいずれの実施例においても、光源として使用されているランプ１（１０１）は高圧水銀ランプであり、点灯開始時点から安定状態になるまでの間はスペクトラム特性が安定状態時に比してアンバランスであり、また出射光量も漸増して安定状態になるので、その間の投射画像はスペクトラム特性のアンバランスさに対応して色の再現性が悪く、また暗いという問題があった。このような問題点を解決するために、本発明のプロジェクタではランプ１（１０１）の点灯開始時点から安定状態になるまでの間に制御回路１０（１００）は以下のような制御を行なう。【０１１１】  なお、ランプ１（１０１）が点灯開始時点から安定状態になるまでの時間、及びその間のスペクトラム特性の状態、更には出射光量の増加の割合等は予め判明しており、制御回路１０（１００）にはそれらの情報が予め与えられている。【０１１２】  ランプ１（１０１）の点灯時にフィルタ駆動回路１２から回転カラーフィルタ２の回転状態、具体的にはいずれのフィルタセグメントがいずれの位置にあるかを示す情報が信号Ｓ２としてランプ駆動回路１１（１１１）のランプ制御回路２２（１２２）に与えられる。またこの信号Ｓ２は信号Ｓ３として制御回路１０（１００）へも与えられているので、制御回路１０（１００）はランプ１（１０１）が安定状態になるまでの間のスペクトラム特性に対応させてホワイトバランスが維持されるように特定の色の明るさが増大するような制御信号Ｓ１をランプ駆動回路１１（１１１）のランプ制御回路２２（１２２）に与える。これに応じてランプ制御回路２２（１２２）はランプ１（１０１）に与えられる電流値を制御する制御信号ＳＣを電源回路２１（１２１）へ与える。【０１１３】  このような制御回路１０（１００）の制御により、ランプ１（１０１）が点灯した時点から安定状態になるまでの間のランプ１（１０１）のスペクトラム特性のアンバランスに起因する色再現性の悪さが改善される。【０１１４】  また制御回路１０（１００）はランプ１（１０１）が安定状態になるまでの間のランプ１（１０１）の明るさに対応させて白色の明るさを増大させるように制御信号Ｓ１をランプ駆動回路１１（１１１）のランプ制御回路２２（１２２）に与える。これに応じてランプ制御回路２２（１２２）はランプ１（１０１）に与えられる電流値を制御する制御信号ＳＣを電源回路２１（１２１）へ与え、白色光の光量を増大させる。【０１１５】  このような制御回路１０（１００）の制御により、ランプ１（１０１）が点灯した時点から安定状態になるまでの間のランプ１（１０１）の明るさが安定状態時に比して暗いことに起因する投射画像の暗さが改善される。【０１１６】  なお、制御回路１０（１００）はランプ１（１０１）の点灯時点から安定状態になるべき時間が経過した時点以降は前述したような通常の制御状態になる。【０１１７】  以上に詳述したように、本発明に係るプロジェクタによれば、回転カラーフィルタによる制約には拘わらずに、従来の単板方式で回転カラーフィルタを使用するプロジェクタに存在していた空間光変調手段から投射される画像の明るさと色再現性、色温度との間のトレードオフの関係が解消されるので、投射画像の色再現性のみならず、明るさに関しても任意に調整することができる。
【産業上の利用可能性】
【０１１８】  また本発明に係るプロジェクタは、印加される直流電流にパルス電流を重畳する、換言すれば印加される直流電流値を増加させることによりランプからの出射光の光量を増加させることが可能な直流駆動方式のランプにも、また直流電流値の位相を特定期間毎に反転させる交流駆動方式のランプにも適用可能である。
【図１】
0004633057.tif 000002
【図２】
0004633057.tif 000003
【図３】
0004633057.tif 000004
【図４】
0004633057.tif 000005
【図５】
0004633057.tif 000006
【図６】
0004633057.tif 000007
【図７】
0004633057.tif 000008
【図８】
0004633057.tif 000009
【図９】
0004633057.tif 000010
【図１０】
0004633057.tif 000011
【図１１】
0004633057.tif 000012